(57)【要約】      （修正有）【課題】容易に操作して、発熱させることができる発熱椅子を提供する。【解決手段】発熱椅子は、肘掛け部材２が設けられ、人体と接触するための表面である接触表面を有する椅子本体１と、椅子本体１に設けられ、接触表面に近接し、椅子本体１を加熱するために用いられる発熱担体３と、発熱担体３と電気的に接続され、発熱担体３を制御するために用いられ、肘掛け部材２に設けられている制御ボタン４０１を少なくとも含む制御装置４と、を含む。【選択図】図１
0003235541.tif 000002
【実用新案登録請求の範囲】
【請求項１】
肘掛け部材が設けられている椅子本体であって、人体と接触するための表面である接触表面を有する椅子本体と、
前記椅子本体に設けられており、前記接触表面に近接し、前記椅子本体を加熱するために用いられる発熱担体と、
前記発熱担体と電気的に接続されており、前記発熱担体を制御するために用いられ、前記肘掛け部材に設けられている制御ボタンを少なくとも含む制御装置と、
を含むことを特徴とする発熱椅子。
【請求項２】
前記椅子本体は、座面および背もたれで構成されており、前記座面と前記背もたれは、前記座面が前記背もたれに対して回動可能となるようにヒンジにより接続されており、前記肘掛け部材は前記背もたれ上に取り付けられていることを特徴とする請求項１に記載の発熱椅子。
【請求項３】
前記発熱椅子は、前記椅子本体に張る椅子張りをさらに含み、前記椅子張りには、さらにベルトが設けられていることを特徴とする請求項１に記載の発熱椅子。
【請求項４】
前記椅子張りの前記肘掛け部材に対応する位置に開口が設けられており、前記開口にはチャックが設けられており、前記発熱椅子は、電源接続ラインをさらに含み、前記電源接続ラインには電力コネクタが設けられており、前記電源接続ラインは、発熱担体と電気的に接続するために用いられ、前記電力コネクタは、給電電源と電気的に接続するために用いられ、前記電源接続ラインは、前記開口から伸び出すことができることを特徴とする請求項３に記載の発熱椅子。
【請求項５】
前記制御ボタンは、前記肘掛け部材の表面から突出することを特徴とする請求項３に記載の発熱椅子。
【請求項６】
前記椅子本体は、座面および背もたれを含み、前記発熱担体は、前記座面および背もたれの内部に設けられており、前記椅子本体と前記背もたれは、前記座面と前記背もたれとが相対的に回動可能となるようにヒンジにより接続されており、前記肘掛け部材と前記背もたれは、肘掛け部材が前記背もたれに対して回動可能となるようにヒンジにより接続されていることを特徴とする請求項１に記載の発熱椅子。
【請求項７】
前記制御装置は、制御メインボードをさらに含み、前記制御メインボードには、第１制御部および第２制御部が設けられており、前記第１制御部および第２制御部は、前記制御ボタンと電気的に接続されており、前記第１制御部は、前記座面に設けられた発熱担体を制御するために用いられ、前記第２制御部は、前記背もたれに設けられた発熱担体を制御するために用いられることを特徴とする請求項６に記載の発熱椅子。
【請求項８】
前記制御装置は、前記制御メインボードと電気的に接続されて温度状態を表示するための温度制御表示灯をさらに含むことを特徴とする請求項７に記載の発熱椅子。
【請求項９】
前記第１制御部および第２制御部はそれぞれ発熱担体の高温発熱、中温発熱および低温発熱を制御するための多段式温度制御モジュールを有することを特徴とする請求項７に記載の発熱椅子。
【請求項１０】
前記電力コネクタは、パッチコードと着脱可能に接続するために用いられ、前記パッチコードは、給電電源と電気的に接続されるために用いられ、前記給電電源はポータブル電源であることを特徴とする請求項４に記載の発熱椅子。
【考案の詳細な説明】
【技術分野】
【０００１】
本考案は、椅子の技術分野に関し、特に発熱椅子に関する。
【背景技術】
【０００２】
人々の生活水準が高まるにつれて、生活の質に対する要求も、日々使用する生活用品に対する要求もますます高くなり、例えば椅子について、天気が寒い場合、冷たい椅子に座ると非常に不快適であり、椅子が自己発熱できれば、冬になって椅子に座っても暖かく快適である。
【考案の概要】
【０００３】
本考案は、普通の椅子が発熱できない課題を解決する発熱椅子を提供する。
【０００４】
上記技術課題を解決するために、本考案は、
肘掛け部材が設けられている椅子本体であって、人体と接触するための表面である接触表面を有する椅子本体と、
前記椅子本体に設けられており、前記接触表面に近接し、前記椅子本体を加熱するために用いられる発熱担体と、
前記発熱担体と電気的に接続されており、前記発熱担体を制御するために用いられ、前記肘掛け部材に設けられている制御ボタンを少なくとも含む制御装置と、
を含む発熱椅子を提供する。
【０００５】
上記技術的解決手段は、好ましくは、前記椅子本体は、座面および背もたれで構成されており、前記座面と前記背もたれは、前記座面が前記背もたれに対して回動可能となるようにヒンジにより接続されており、前記肘掛け部材は前記背もたれ上に取り付けられている。
【０００６】
上記技術的解決手段は、好ましくは、前記発熱椅子は、前記椅子本体に張る椅子張りをさらに含み、前記椅子張りには、さらにベルトが設けられている。
【０００７】
上記技術的解決手段は、好ましくは、前記椅子張りの前記肘掛け部材に対応する位置に開口が設けられており、前記開口にはチャックが設けられており、前記発熱椅子は、電源接続ラインをさらに含み、前記電源接続ラインには電力コネクタが設けられており、前記電源接続ラインは、発熱担体と電気的に接続するために用いられ、前記電力コネクタは、給電電源と電気的に接続するために用いられ、前記電源接続ラインは、前記開口から伸び出すことができる。
【０００８】
上記技術的解決手段は、好ましくは、前記制御ボタンは、前記肘掛け部材の表面から突出する。
【０００９】
上記技術的解決手段は、好ましくは、前記椅子本体は、座面および背もたれを含み、前記発熱担体は、前記座面および背もたれの内部に設けられており、前記椅子本体と前記背もたれは、前記座面と前記背もたれとが相対的に回動可能となるようにヒンジにより接続されており、前記肘掛け部材と前記背もたれは、肘掛け部材が前記背もたれに対して回動可能となるようにヒンジにより接続されている。
【００１０】
上記技術的解決手段は、好ましくは、前記制御装置は、制御メインボードをさらに含み、前記制御メインボードには、第１制御部および第２制御部が設けられており、前記第１制御部および第２制御部は、前記制御ボタンと電気的に接続されており、前記第１制御部は、前記座面に設けられた発熱担体を制御するために用いられ、前記第２制御部は、前記背もたれに設けられた発熱担体を制御するために用いられる。
【００１１】
上記技術的解決手段は、好ましくは、前記制御装置は、前記制御メインボードと電気的に接続されて温度状態を表示するための温度制御表示灯をさらに含む。
【００１２】
上記技術的解決手段は、好ましくは、前記第１制御部および第２制御部はそれぞれ発熱担体の高温発熱、中温発熱および低温発熱を制御するための多段式温度制御モジュールを有する。
【００１３】
上記技術的解決手段は、好ましくは、前記電力コネクタは、パッチコードと着脱可能に接続するために用いられ、前記パッチコードは、給電電源と電気的に接続されるために用いられ、前記給電電源はポータブル電源である。
【００１４】
本考案は発熱椅子を提供し、椅子本体上に接触表面を有し、前記椅子本体の内部において前記接触表面に近接して発熱担体が設けられており、前記発熱担体は、前記椅子本体を加熱するために用いられ、椅子本体には肘掛け部材が設けられており、前記肘掛け部材には、発熱担体を制御するための制御装置が設けられており、前記制御装置は、肘掛け部材に設けられた制御ボタンを含み、天気が寒いとき、発熱担体が椅子本体を加熱し、温かい椅子に座ると、温かさ及び快適さを感じ、椅子本体には肘掛け部材が設けられており、より快適となり、前記制御ボタンは肘掛け部材に設けられており、操作しやすい。
【００１５】
上記の説明は、本考案の技術的解決手段の概説に過ぎず、本考案の技術手段をより良く理解するために、明細書の内容に基づいて実施することができ、本考案の上記目的及びその他の目的、特徴及び利点をより明らかで理解しやすくするために、以下、本考案の具体的な実施形態を挙げる。
【図面の簡単な説明】
【００１６】
【図１】図１は、本考案の実施例における発熱椅子の３次元構造概略図である。
【図２】図２は、本考案の実施例における発熱椅子の折り畳み状態の３次元構造概略図である。
【図３】図３は、本考案の実施例における発熱椅子の制御メインボードの構造概略図である。
【考案を実施するための形態】
【００１７】
本考案の目的、特徴、利点をより明らかで理解しやすくするために、以下、本考案の実施例における図を参照しながら、本考案の実施例における技術的解決手段を明瞭、完全に説明し、明らかに、説明する実施例は全ての実施例ではなく、本考案の一部の実施例に過ぎない。本考案における実施例に基づき、当業者は、創造的な労働を行わずに取得したその他の実施例の全ても本考案の保護範囲に属する。
【００１８】
図１〜図２に示すように、本考案の実施例は、肘掛け部材２が設けられている椅子本体１であって、人体と接触するための表面である接触表面を有する椅子本体１と、前記椅子本体１に設けられており、前記接触表面に近接し、前記椅子本体１を加熱するために用いられる発熱担体３と、前記発熱担体３と電気的に接続されており、前記発熱担体３を制御するために用いられ、前記肘掛け部材２に設けられている制御ボタン４０１を少なくとも含む制御装置４と、を含み、前記制御ボタン４０１は、前記肘掛け部材２に設けられている、発熱椅子を提供する。
【００１９】
本考案は発熱椅子を提供し、椅子本体１上に接触表面を有し、前記椅子本体１の内部において前記接触表面に近接して発熱担体が設けられており、前記発熱担体は、前記椅子本体１を加熱するために用いられ、椅子本体１には肘掛け部材２が設けられており、前記肘掛け部材２には、発熱担体を制御するための制御装置４が設けられており、前記制御装置４は、肘掛け部材２に設けられた制御ボタン４０１を含み、低温環境において、発熱担体が椅子本体１を加熱し、温かい椅子に座ると、温かさ及び快適さを感じ、椅子本体１には肘掛け部材２が設けられており、より快適となり、前記制御ボタン４０１は肘掛け部材２に設けられており、操作しやすい。
【００２０】
本実施例の更なる実施形態において、前記椅子本体１は、座面５および背もたれ６で構成されており、前記座面５と前記背もたれ６は、前記座面５が前記背もたれ６に対して回動可能となるようにヒンジにより接続されており、前記肘掛け部材２が前記背もたれ６に取り付けられている。
【００２１】
本実施例において、椅子本体１は、座面５および背もたれ６で構成され、他の椅子上に放置されてもよいし、ベッド上又は張り出し窓上に放置されてもよく、移動しやすく、より多くの場面に適用可能である。前記座面５と前記背もたれ６とがなす角度は調整可能であり、かつ、肘掛け部材２が前記背もたれ６に取り付けられており、人々は、必要に応じて前記座面５と前記背もたれ６とがなす角度を、より快適となるように調整することができ、前記ヒンジは、４２段式調節可能なヒンジであり、小さい空間においても角度を調節でき、自由に位置決めることができ、使用しない場合、半折にして収納可能であり、空間を節約し、収納が便利であり、出かけの時に携帯しやすい。
【００２２】
本実施例の更なる実施形態において、前記発熱椅子は、前記椅子本体１に張る椅子張り７をさらに含み、前記椅子張りには、さらにベルト７０１が設けられている。
【００２３】
本実施例において、前記椅子張り７が前記椅子本体１に張り、前記椅子張り７は取り外して洗浄可能であり、より清潔で衛生的であり、椅子が半折して収納状態にあるとき、前記ベルト７０１を用いて前記椅子を梱包固定することができ、携帯しやすく、意外な情況により前記椅子がオープンされて不測の事態の発生を避けることができ、前記発熱椅子がオープンされて使用されるとき、前記ベルト７０１は、さらに他の物体に接続して固定することができ、前記発熱椅子の使用時の変位が発生して使用が影響されるのを避けることができる。
【００２４】
本実施例の更なる実施形態において、前記椅子張り７の前記肘掛け部材２に対応する位置に開口２０１が設けられており、前記開口２０１にはチャック２０２が設けられており、前記発熱椅子は電源接続ラインをさらに含み、前記電源接続ラインには電力コネクタが設けられており、前記電源接続ラインは、発熱担体３と電気的に接続するために用いられ、前記電力コネクタは、給電電源と電気的に接続するために用いられ、前記電源接続ラインは、前記開口２０１から伸び出すことができる。
【００２５】
本実施例において、前記電源接続ラインが前記肘掛けの内部に設けられており、前記肘掛けおよび前記椅子張り７に開口２０１が設けられており、前記電源接続ラインは前記開口２０１から伸び出し、前記開口２０１にはチャック２０２が設けられており、前記電源接続ラインを収容しやすくなる。
【００２６】
本実施例の更なる実施形態において、前記制御ボタン４０１は、前記肘掛け部材２の表面から突出する。
【００２７】
本実施例において、前記制御ボタン４０１は前記肘掛け部材２の表面から突出し、より操作しやすくなる。
【００２８】
本実施例の更なる実施形態において、前記椅子本体１は、座面５および背もたれ６を含み、前記発熱担体は、前記座面５および背もたれ６の内部に設けられており、前記椅子本体１と前記背もたれ６は、前記座面５が前記背もたれ６に対して回動可能となるようにヒンジにより接続されており、前記肘掛け部材２と前記背もたれ６は、肘掛け部材２が前記背もたれ６に対して回動可能となるようにヒンジにより接続されている。
【００２９】
本実施例において、前記座面５と前記背もたれ６とがなす角度は調節可能であり、かつ、肘掛け部材２が前記背もたれ６に取り付けられており、人々は必要に応じて前記座面５と前記背もたれ６とがなす角度を調整することができ、より快適となり、前記ヒンジは、４２段式調節可能なヒンジであり、小さい空間においても角度を調整し、自由に位置決めることができ、使用しないときに、半折して収納可能であり、空間を節約し、収納しやすく、出かけるときに携帯しやすい。
【００３０】
本実施例の更なる実施形態において、前記制御装置４は、制御メインボード４０２をさらに含み、前記制御メインボード４０２には第１制御部４０３および第２制御部４０４が設けられており、前記第１制御部４０３および第２制御部４０４は、前記制御ボタン４０１と電気的に接続されており、前記第１制御部４０３は、前記座面５に設けられた発熱担体３を制御するために用いられ、前記第２制御部４０４は、前記背もたれ６に設けられた発熱担体３を制御するために用いられる。
【００３１】
本実施例において、前記制御メインボード４０２は、第１制御部４０３および第２制御部４０４によりそれぞれ制御座面５上の発熱担体および背もたれ６上の発熱担体３を制御し、異なる要求に適応することができる。
【００３２】
本実施例の更なる実施形態において、前記制御装置４は、前記制御メインボード４０２と電気的に接続されて温度状態を表示するための温度制御表示灯をさらに含む。
【００３３】
本実施例において、前記制御装置４は、温度状態を表示することができる温度制御表示灯を含み、人々は、体で感じて確認することなく、温度制御表示灯により前記発熱椅子の発熱温度を把握することができ、温度が高過ぎ又は低過ぎによる不快適さを避けることができる。
【００３４】
本実施例の更なる実施形態において、前記第１制御部４０３および第２制御部４０４はそれぞれ発熱担体３の高温発熱、中温発熱及び低温発熱を制御するための多段式温度制御モジュールを有する。
【００３５】
本実施例において、前記第１制御部４０３および第２制御部４０４は、それぞれの多段式温度制御モジュールにより発熱椅子座面５および背もたれ６の発熱担体３の高温発熱、中温発熱および低温発熱を制御し、異なる環境温度での要求を満足することができる。
【００３６】
本実施例の更なる実施形態において、前記電力コネクタは、パッチコードと着脱可能に接続するために用いられ、前記パッチコードは、給電電源と電気的に接続するために用いられ、前記給電電源はポータブル電源である。
【００３７】
本実施例において、ポータブル電源を給電電源として用い、前記発熱椅子とともに移動しやすくなり、発熱椅子の異なる使用場面に適応することができる。
【００３８】
具体的に、本実施例における椅子本体１は、座面５および背もたれ６で構成され、座面５および前記背もたれ６は、回動接続可能であり、人々は、必要に応じて前記座面５と前記背もたれ６とがなす角度を調節することができ、より快適となり、使用しないとき、半折して収納可能であり、空間を節約し、半折状態において、椅子張りに設けられたベルト７０１を用いて前記椅子を梱包固定すると、携帯しやすくなり、使用時に、ベルト７０１はさらに他の物体に接続して、使用時に前記発熱椅子が変位して使用が影響されるのを避けることができ、前記背もたれ６には肘掛け部材２が設けられており、前記椅子本体１には椅子張り７が張られており、前記座面５および背もたれ６の内部に、前記座面５および前記背もたれ６を加熱するための発熱担体３が設けられており、前記肘掛け部材２には、制御ボタン４０１を含む制御装置４が設けられており、前記制御ボタン４０１は前記肘掛け部材２の表面から突出し、前記制御装置４は制御メインボード４０２をさらに含み、前記制御メインボード４０２には第１制御部４０３および第２制御部４０４が設けられており、前記第１制御部４０３および第２制御部４０４はそれぞれ多段式温度制御モジュールを有し、前記第１制御部４０３および第２制御部４０４は前記制御ボタン４０１と電気的に接続されており、前記第１制御部４０３は、前記座面５に設けられた発熱担体の高温発熱、中温発熱および低温加熱を制御するために用いられ、前記第２制御部４０４は、前記背もたれ６上の発熱担体の高温発熱、中温発熱および低温発熱を制御するために用いられ、３段式加熱を設置することにより、異なる環境温度での要求を満足することができる。前記制御装置４は、前記発熱担体３が高温発熱、中温発熱又は低温発熱のどちらであるかを表示するための温度制御表示灯をさらに含み、前記発熱担体３は、ポータブル電源を給電電源として用い、発熱椅子と共に移動しやすくなり、異なる使用場面に適応することができ、前記ポータブル電源は、電源接続ラインにより前記発熱担体３と電気的に接続されており、前記電源接続ラインの一方端が前記発熱担体３と電気的に接続され、他方端が前記肘掛け部材２の開口２０１および椅子張り７に対応する位置の開口２０１から伸び出し、前記開口２０１にはチャック２０２が設けられており、前記電源接続ラインを収納しやすくなる。前記発熱椅子は、普通の椅子が発熱できない課題を解決し、低温環境において使用する時により快適となる。
【００３９】
本明細書の説明において、「１つの実施例」、「幾つかの実施例」、「例」、「具体例」、又は「幾つかの例」等の表現は、当該実施例又は例を組み合わせて説明した具体的な特徴、構造、材料又は利点が本考案の少なくとも１つの実施例又は例に含まれることを意味する。また、説明した具体的な特徴、構造、材料又は利点は、いずれか１つ又は複数の実施例又は例において適切な方式で組み合わせることができる。なお、矛盾がない限り、当業者は、本明細書で説明した異なる実施例又は例および異なる実施例又は例の特徴を結合又は組み合わせることができる。
【００４０】
なお、用語「第１」、「第２」は、説明のためのものに過ぎず、相対的な重要性を指示又は暗示するもの、あるいは示された技術特徴の数を暗黙的に示すものであると理解されるべきではない。これにより、「第１」、「第２」を限定している特徴は、少なくとも１つの当該特徴を明示的又は暗黙的に含むことができる。本考案の説明において、別途明確な限定がない限り、「複数」の意味は２つ以上である。
【００４１】
以上は、本考案の具体的な実施形態に過ぎず、本考案の保護範囲はこれらに限定されず、当業者は本考案が披露している技術範囲内で容易に想到し得た変化又は置き換えはいずれも本考案の保護範囲内に含まれるべきである。従って、本考案の保護範囲は請求項の保護範囲に準ずるべきである。
【符号の説明】
【００４２】
１  椅子本体
２  肘掛け部材
３  発熱担体
４  制御装置
５  座面
６  背もたれ
７  椅子張り
２０１  開口
２０２  チャック
４０１  制御ボタン
４０２  制御メインボード
４０３  第１制御部
４０４  第２制御部
７０１  ベルト
【図１】
0003235541.tif 000003
【図２】
0003235541.tif 000004
【図３】
0003235541.tif 000005